(57)【要約】【課題】各種入力装置に用いられる静電容量方式のタッチパネルに関し、メニュー表示の操作に適するものを提供することを目的とする。【解決手段】第一の電極３１及び第二の電極４１と絶縁され、第一の電極３１及び第二の電極４１と異なる層に上面視で第一の電極３１及び第二の電極４１と重ならない位置に配置されたスイッチ電極５１Ａ、５１Ｂを備えてタッチパネル１００を構成する。これにより、静電容量方式のタッチパネル１００を用いたメニュー表示の操作に適する。【選択図】図１
2014048674.tif 000002
【特許請求の範囲】
【請求項１】
平行に並べて配置された複数の第一の電極と、前記第一の電極に絶縁され平行に並べて配置された複数の第二の電極とを備え、前記第一の電極と前記第二の電極との間の静電容量により対象物の接近或いは接触位置を検出するものであって、前記第一の電極及び前記第二の電極と絶縁され、前記第一の電極及び前記第二の電極と異なる層に上面視で前記第一の電極及び前記第二の電極と重ならない位置に配置されたスイッチ電極を備えたタッチパネル。
【請求項２】
前記第一の電極は帯状で第一の方向に平行に配置され、前記第二の電極は帯状で前記第一の方向と所定の角度を備えた第二の方向に平行に配置され、前記第一の電極と前記第二の電極の間に、前記スイッチ電極と前記スイッチ電極が配置される基板を備えたスイッチ基板層を配置した請求項１記載のタッチパネル。
【請求項３】
前記第一の電極と前記第二の電極は上面視でタッチパネル操作領域を構成し、前記スイッチ電極は複数で前記タッチパネル操作領域を挟む位置に配置される請求項２記載のタッチパネル。
【請求項４】
前記第一の電極は複数の第一の電極部と前記第一の電極部を接続する第一のブリッジ部を備え、前記第二の電極は複数の第二の電極部と前記第二の電極部を接続する第二のブリッジ部を備え、前記第一の電極部と前記第二の電極部は上面視で重ならないように配置されると共に、前記スイッチ電極と前記スイッチ電極と同じ層に配置されたシールド電極と前記スイッチ電極と前記シールド電極が配置される基板を備えたスイッチ基板層を、前記第一の電極部と前記第二の電極部の下方に配置した請求項１記載のタッチパネル。
【請求項５】
前記第一の電極と前記第二の電極は上面視でタッチパネル操作領域を構成し、前記スイッチ電極は複数で前記タッチパネル操作領域を挟む位置に配置される請求項４記載のタッチパネル。
【発明の詳細な説明】
【技術分野】
【０００１】
本発明は、主に各種入力装置の操作に用いられる静電容量方式のタッチパネルに関するものである。
【背景技術】
【０００２】
近年、携帯電話やカーナビ等の各種入力装置では、液晶ディスプレイ等の表示装置の表示面に光透過性のタッチパネルを装着して、多様な表示を行うものが増えている。
【０００３】
このような入力装置では、表示装置にメニュー表示が表示され、タッチパネルでメニュー表示上を操作することにより所定の制御を行うものが求められてきている。
【０００４】
従来の入力装置について、図１０及び図１１を用いて説明する。
【０００５】
なお、構成を判り易くするために、図面は厚さ方向の寸法を拡大して表している。
【０００６】
図１０は従来の入力装置１０の上面図、図１１は同断面図である。ここで、入力装置１０は、抵抗膜式のタッチパネル１と表示装置２を備える。タッチパネル１は表示装置２の上面に配置されるが、タッチパネル１は表示装置２と重ならないタッチパネル単独領域１Ａを備える。
【０００７】
また、表示装置２には、メニュー表示３、４が表示される。ここで、メニュー表示４は、タッチパネル１の操作部５を押圧することで操作できる。この操作部５は、メニュー表示４の上面とタッチパネル単独領域１Ａ内の検知領域６を含む。
【０００８】
この入力装置１０は、タッチパネル単独領域１Ａ内の検知領域６を操作部５として使用することで、メニュー表示４の表示が小さくとも、比較的広い操作部５を確保することが可能となっていた。
【０００９】
従来の入力装置１０は、メニュー表示４を表示するもので、メニュー表示４の大きさに対しても柔軟に対応可能なものであった。
【００１０】
なお、この出願の発明に関連する先行技術文献情報としては、例えば、特許文献１が知られている。
【先行技術文献】
【特許文献】
【００１１】
【特許文献１】特開２００２−１５７０８６号公報
【発明の概要】
【発明が解決しようとする課題】
【００１２】
しかしながら、近年タッチパネルとして、抵抗膜式のタッチパネルから静電容量方式のタッチパネルへの置き換えが進んでいる。この流れの中、静電容量方式のタッチパネルでメニュー表示の操作に適したものが求められている。
【００１３】
本発明は、このような要望に対応するものであり、静電容量方式のタッチパネルを用いメニュー表示の操作に適したタッチパネルを提供することを目的とする。
【課題を解決するための手段】
【００１４】
上記目的を達成するために本発明は、第一の電極及び第二の電極と絶縁され、第一の電極及び第二の電極と異なる層に上面視で第一の電極及び第二の電極と重ならない位置に配置されたスイッチ電極を備えてタッチパネルを構成する。
【発明の効果】
【００１５】
以上のように本発明によれば、第一の電極及び第二の電極と絶縁され、第一の電極及び第二の電極と異なる層に上面視で第一の電極及び第二の電極と重ならない位置に配置されたスイッチ電極を備えてタッチパネルを構成する。これにより、スイッチ電極によりメニュー表示に対応すると共に、スイッチ電極を第一の電極及び第二の電極とは異なる層に配置することでスイッチ電極からの配線の引き回しの制約を緩和できる。このため静電容量方式のタッチパネルを用いたメニュー表示の操作に適する。
【図面の簡単な説明】
【００１６】
【図１】本発明の実施の形態１によるタッチパネルの分解斜視図
【図２】同タッチパネルの断面図
【図３】同タッチパネルの電極の配置を示す上面図
【図４】同タッチパネルを用いた入力装置の断面図
【図５】本発明の実施の形態２によるタッチパネルの分解斜視図
【図６】同タッチパネルの断面図
【図７】同タッチパネルの電極の配置を示す上面図
【図８】同タッチパネルを用いた入力装置の断面図
【図９】本発明の実施の形態２による他のタッチパネルの上面図
【図１０】従来の入力装置の上面図
【図１１】従来の入力装置の断面図
【発明を実施するための形態】
【００１７】
以下、本発明の実施の形態について、図１から図９を用いて説明する。
【００１８】
なお、これらの図面は構成を判り易くするために、部分的に寸法を拡大して表している。
【００１９】
（実施の形態１）
図１は本発明の実施の形態１によるタッチパネル１００の分解斜視図、図２は同断面図である。
【００２０】
同図において、タッチパネル１００は、カバー層２１と、第一の基板層２２と、第二の基板層２３と、スイッチ基板層２４を備える。
【００２１】
ここで、カバー層２１は、略方形で例えば樹脂材料のフィルムの上面にハードコート層を設けて構成される。また、ガラスを材料として構成しても良い。
【００２２】
第一の基板層２２は、第一の方向Ｄ１に平行に配置された複数の第一の電極３１と、第一の電極３１に一端が接続された複数の配線３２と、第一の電極３１と配線３２が配置される基板３３を備える。
【００２３】
ここで、基板３３は略方形で例えば透光性の絶縁樹脂等のフィルムで構成される。或いは、ガラスを材料として構成しても良い。
【００２４】
また、第一の電極３１は所定の間隔を空けて並べて配置され、帯状でいずれの第一の電極３１も同等の幅で構成される。なお、第一の電極３１の材料は酸化インジウム錫や酸化錫等が適している。
【００２５】
配線３２は第一の電極３１に一端が接続され、それぞれの第一の電極３１から一本ずつ延出している。この配線３２は銀や銅などの導電性の金属を材料とするのが適している。
【００２６】
第二の基板層２３は、第二の方向Ｄ２に平行に配置された複数の第二の電極４１と、第二の電極４１に一端が接続された複数の配線４２と、第二の電極４１と配線４２が配置される基板４３を備える。なお、第一の方向Ｄ１と第二の方向Ｄ２の間は平行ではなく所定の角度を備える。この所定の角度は垂直であることが望ましい。
【００２７】
ここで、基板４３は略方形で例えば透光性の絶縁樹脂等のフィルムで構成される。或いは、ガラスを材料として構成しても良い。
【００２８】
また、第二の電極４１は所定の間隔を空けて並べて配置され、帯状でいずれの第二の電極４１も同等の幅で構成される。なお、第二の電極４１の材料は酸化インジウム錫や酸化錫等が適している。
【００２９】
配線４２は第二の電極４１に一端が接続され、それぞれの第二の電極４１から一本ずつ延出している。この配線４２は銀や銅などの導電性の金属を材料とするのが適している。
【００３０】
スイッチ基板層２４は、スイッチ電極５１Ａ、５１Ｂと配線５２Ａ、５２Ｂと基板５３を備える。
【００３１】
ここで、基板５３は略方形で例えば透光性の絶縁樹脂等のフィルムで構成される。或いは、ガラスを材料として構成しても良い。
【００３２】
そして、配線５２Ａ、５２Ｂはそれぞれスイッチ電極５１Ａ、５１Ｂに一端が接続され、スイッチ電極５１Ａ、５１Ｂから一本ずつ延出している。なお、配線５２Ａ、５２Ｂはタッチパネル操作領域６０の外側に配置される。
【００３３】
スイッチ電極５１Ａ、５１Ｂは、基板５３の表面にスパッタ法などで形成可能で、酸化インジウム錫や酸化錫等の透光性で導電性の材料を用いるのが好ましい。スイッチ電極５１Ａ、５１Ｂを透光性とすることにより、スイッチ電極５１Ａ、５１Ｂの下方から照光したり、下方にアイコンを配置したりするなどして、スイッチ電極５１Ａ、５１Ｂの表示に変化を持たせることが可能となるからである。
【００３４】
また、配線５２Ａ、５２Ｂは銀や銅などの導電性の金属を材料とするのが適している。なお、スイッチ電極５１Ａ、５１Ｂの形状は円形や方形等いかなる形状でも形成可能である。
【００３５】
このスイッチ基板層２４は第二の基板層２３の上面に固定され、スイッチ基板層２４の上面に第一の基板層２２が例えばアクリル系接着剤等で固定される。また、第一の基板層２２の上面にカバー層２１が例えばアクリル系接着剤等で固定される。
【００３６】
図３はタッチパネル１００の上面図である。
【００３７】
第一の電極３１と第二の電極４１が配置された領域がタッチパネル操作領域６０となる。ここで、第二の電極４１が送信電極で第一の電極３１が受信電極となる。タッチパネル１００が動作する際には、複数の第二の電極４１のうち送信する第二の電極４１を例えば上端から下端へ一本ずつ切り替えながら送信する。それぞれの第二の電極４１が送信している際に、受信する第一の電極３１も例えば左端から右端へ一本ずつ切り替えられる。そして、第一の電極３１で検出される静電容量からいずれの第一の電極３１で静電容量が変化したか検出し、第二の方向Ｄ２での指等の対象物の検出位置を判定する。また、このときいずれの第二の電極４１が送信しているかを判定することで第一の方向Ｄ１での指等の対象物の検出位置を判定する。
【００３８】
また、複数のスイッチ電極５１Ａがタッチパネル操作領域６０の外側で、タッチパネル操作領域６０の右側に配置される。また、複数のスイッチ電極５１Ｂがタッチパネル操作領域６０の外側で、タッチパネル操作領域６０の左側に配置される。複数のスイッチ電極５１Ａ、５１Ｂはそれぞれ独立した送受信兼用の電極として動作しており、スイッチ電極５１Ａ、５１Ｂを介して検出した静電容量の変化からタッチパネル１００は指等の対象物の接近或いは接触を判定する。
【００３９】
ここで、図１、図２で示すように第一の電極３１と第二の電極４１の配置関係は、第二の電極４１が下側にあり、第一の電極３１が上側にある。このような電極配置では、第一の電極３１と第二の電極４１は距離を空けるほうが、第二の電極４１と第一の電極３１の間で生じる電界が第一の電極３１の上方に発散されやすくなり、指等の検出感度が向上する。ここで、第二の電極４１と第一の電極３１の間には基板３３と基板５３が存在するため、第一の電極３１と第二の電極４１との間隔を確保しやすくなり、検出感度を高くすることができる。
【００４０】
また、基板５３に複数のスイッチ電極５１Ａ、５１Ｂを配置しているので、第二の電極４１と第一の電極３１の間のスペーサとしての役割を備える基板５３と、静電容量方式のスイッチの役割を備える複数のスイッチ電極５１Ａ、５１Ｂをスイッチ基板層２４として一体化することで低コストにタッチパネル１００を製造することが可能となる。
【００４１】
また、スイッチ電極５１Ａ、５１Ｂを第一の電極３１及び第二の電極４１とは異なる層に配置することで、スイッチ電極５１Ａ、５１Ｂからの配線５２Ａ、５２Ｂを配線３２、４２と上面視で重ねることも可能となるため、配線５２Ａ、５２Ｂの引き回しの制約を緩和できる。
【００４２】
図４は入力装置１１０の断面図である。同図において、入力装置１１０は、タッチパネル１００と筐体１０１と表示装置１０２を備える。
【００４３】
筐体１０１はタッチパネル操作領域６０の位置に角孔１０１Ａが設けられ、スイッチ電極５１Ａの位置に角孔１０１Ｂが設けられ、スイッチ電極５１Ｂの位置に角孔１０１Ｃが設けられる。
【００４４】
そして、表示装置１０２は液晶ディスプレイや有機ＥＬ（ｅｌｅｃｔｒｏｌｕｍｉｎｅｓｃｅｎｃｅ）ディスプレイ等の画像を上面に表示可能な装置で、タッチパネル１００の下面に配置されている。
【００４５】
そして、タッチパネル１００の複数の第一の電極３１、第二の電極４１、スイッチ電極５１Ａ、５１Ｂや、表示装置１０２がコネクタやリード線（図示せず）等を介して、入力装置１１０の電子回路（図示せず）に接続される。
【００４６】
そして、第一の電極３１と第二の電極４１の間の静電容量の変化或いはスイッチ電極５１Ａ、５１Ｂの静電容量の変化を電子回路が検出して、指等の対象物のタッチパネル１００への接近或いは接触を判定する。そして対象物の接触位置に応じた入力装置１１０の様々な機能の切換えが行なわれる。
【００４７】
例えば、入力装置１１０がカーナビゲーションシステムとして使用されるものであれば、表示装置１０２にはタッチパネル操作領域６０に対応する位置に地図表示が表示され、スイッチ電極５１Ａ、５１Ｂに対応する位置に「広域／詳細」表示の選択メニュー、或いは「オーディオ」表示への切り替えメニュー、「音量の＋−」表示メニュー等のメニュー表示が表示されている。
【００４８】
この状態で、操作者が指によりタッチパネル操作領域６０に二本の指を接触しピンチ操作を行うと接触位置の地図表示を広域表示或いは詳細表示を行う。またフリック操作を行うと地図表示を所定の方向へ素早く移動表示させる。なお、ピンチ操作とは二本の指の間隔をタッチパネル１００の上面に接触したまま近づける或いは離す操作のことで、フリック操作とはタッチパネル１００の上面に接触したまま素早くスライドさせる操作である。
【００４９】
さらに、操作者が「オーディオ」表示がされたスイッチ電極５１Ａ或いはスイッチ電極５１Ｂの位置でタッチパネル１００の上面に接触すると、オーディオ表示のメニューに表示装置１０２の表示が切り替わる。
【００５０】
このように本実施の形態によれば、第一の電極３１及び第二の電極４１と絶縁され、第一の電極３１及び第二の電極４１と異なる層に上面視で第一の電極３１及び第二の電極４１と重ならない位置に配置されたスイッチ電極５１Ａ、５１Ｂを備えてタッチパネル１００を構成する。これにより、スイッチ電極５１Ａ、５１Ｂによりメニュー表示に対応すると共に、スイッチ電極５１Ａ、５１Ｂを第一の電極３１及び第二の電極４１とは異なる層に配置することで、スイッチ電極５１Ａ、５１Ｂからの配線５２Ａ、５２Ｂを配線３２、４２と上面視で重ねることも可能となるため、配線５２Ａ、５２Ｂの引き回しの制約を緩和できる。
【００５１】
なお、配線５２Ａ、５２Ｂの引き回しの制約を緩和することは、タッチパネル１００の配線３２、４２、配線５２Ａ、５２Ｂが配置される範囲を狭くする狭額縁にする点でも有利であり、入力装置１１０の小型化に適する。
【００５２】
また、第一の電極３１は帯状で第一の方向Ｄ１に平行に配置され、第二の電極４１は帯状で第一の方向Ｄ１と所定の角度を備えた第二の方向Ｄ２に平行に配置され、第一の電極３１と第二の電極４１の間に、スイッチ電極５１Ａ、５１Ｂとスイッチ電極５１Ａ、５１Ｂが配置される基板５３を備えたスイッチ基板層を配置している。第一の電極３１と第二の電極４１の間に配置された基板５３により第一の電極３１と第二の電極４１の距離を空けることが可能となりタッチパネル１００の検出感度を高くすると共に基板５３にスイッチ電極５１Ａ、５１Ｂを配置することで、スイッチ電極５１Ａ、５１Ｂを簡便に配置することができる。
【００５３】
さらに、第一の電極３１と第二の電極４１は上面視でタッチパネル操作領域６０を構成し、複数のスイッチ電極５１Ａ、５１Ｂはタッチパネル操作領域６０を挟む位置に配置されるため、スイッチ電極５１Ａ、５１Ｂを操作者に使いやすく配置することができる。
【００５４】
（実施の形態２）
図５は本発明の実施の形態２によるタッチパネル２００の分解斜視図、図６は同断面図である。
【００５５】
タッチパネル２００はタッチパネル１００と比較すると、第一の電極１３１と第二の電極１４１の形状が異なる。また、スイッチ基板層１２４が第二の基板層１２３の下面に配置され、スイッチ基板層１２４にタッチパネル操作領域１６０内に配置されたシールド電極１５４を備える点が異なる。
【００５６】
同図において、タッチパネル２００は、カバー層１２１と、第一の基板層１２２と、第二の基板層１２３と、スイッチ基板層１２４を備える。
【００５７】
スイッチ基板層１２４の上面に第二の基板層１２３が固定され、第二の基板層１２３の上面に第一の基板層１２２が例えばアクリル系接着剤等で固定される。また、第一の基板層１２２の上面にカバー層２１が例えばアクリル系接着剤等で固定される。
【００５８】
カバー層１２１は、実施の形態１のカバー層２１と同様の構成である。
【００５９】
第一の基板層１２２は、第一の方向Ｄ１に平行に配置された複数の第一の電極１３１と、第一の電極１３１に一端が接続された複数の配線１３２と、第一の電極１３１と配線１３２が配置される基板１３３を備える。この第一の基板層１２２は、実施の形態１の第一の基板層２２に対応し、複数の第一の電極１３１が第一の電極３１と形状が異なる点を除き同様の構成である。
【００６０】
また、第二の基板層１２３は、第二の方向Ｄ２に平行に配置された複数の第二の電極１４１と、第二の電極１４１に一端が接続された複数の配線１４２と、第二の電極１４１と配線１４２が配置される基板１４３を備える。第二の基板層１２３は、実施の形態１の第二の基板層２３に対応し、複数の第二の電極１４１が第二の電極４１と形状が異なる点、第一の基板層１２２に接して配置されている点を除き同様の構成である。
【００６１】
図７は、タッチパネル２００の第一の電極１３１、第二の電極１４１、スイッチ電極１５１Ａ、１５１Ｂの配置を示す上面図である。
【００６２】
同図（ａ）において第一の電極１３１は、第一の方向Ｄ１に並んで配置された複数の方形の第一の電極部１３１Ａと複数の第一のブリッジ部１３１Ｂから構成される。
【００６３】
ここで、第一の電極部１３１Ａは第一の方向Ｄ１に頂点が配置されるよう並んでおり、隣に配置された第一の電極部１３１Ａとの間を第一のブリッジ部１３１Ｂで繋いで構成される。
【００６４】
また、第二の電極１４１は、第二の方向Ｄ２に並んで配置された複数の方形の第二の電極部１４１Ａと複数の第二のブリッジ部１４１Ｂから構成される。
【００６５】
また、第二の電極部１４１Ａは第二の方向Ｄ２に頂点が配置されるよう並んでおり、隣に配置された第二の電極部１４１Ａとの間を第二のブリッジ部１４１Ｂで繋いで構成される。
【００６６】
また、同図（ｂ）に示すように上面視において第一の電極１３１と第二の電極１４１は交差している。ここで、上面視で第一の電極部１３１Ａと第二の電極部１４１Ａは重ならず、第一のブリッジ部１３１Ｂと第二のブリッジ部１４１Ｂが重なるよう配置される。
【００６７】
ここで、第一の電極１３１と第二の電極１４１が配置された領域がタッチパネル操作領域１６０となる。ここで、第一の電極部１３１Ａと第二の電極部１４１Ａがタッチパネル操作領域１６０内で互い違いに配置されている。
【００６８】
ここで、第一の電極１３１と第二の電極１４１は、図５及び図６で示すように間に基板１３３を配置して絶縁される。
【００６９】
次に、スイッチ基板層１２４は、スイッチ電極１５１Ａ、１５１Ｂとスイッチ電極１５１Ａ、１５１Ｂに一端が接続された配線１５２Ａ、１５２Ｂと、スイッチ電極１５１Ａとスイッチ電極１５１Ｂの間に配置されたシールド電極１５４と、スイッチ電極１５１Ａ、１５１Ｂ及びシールド電極１５４が配置された基板１５３とを備える。
【００７０】
このスイッチ基板層１２４は、実施の形態１のスイッチ基板層２４に対し、シールド電極１５４が配置されている点、第二の基板層１２３の下方に配置されている点を除き同様の構成である。
【００７１】
ここで、シールド電極１５４は、タッチパネル操作領域１６０内に配置されている。第二の電極１４１を送信電極としたとき、第一の電極部１３１Ａと第二の電極部１４１Ａの間で生じる電界は実施の形態１と比較し、水平方向の成分が大きい。このとき、タッチパネル２００は第一の電極部１３１Ａと第二の電極部１４１Ａの間の静電容量で対象物の接触位置或いは接近位置を判定するが、タッチパネル２００の下方には表示装置１０２が配置されているため表示装置１０２が放射する電磁ノイズの影響を受けやすい。
【００７２】
実施の形態１で説明したタッチパネル１００では、第二の電極４１を第一の電極３１より太くし、かつ第二の電極４１を順次駆動する中で、駆動していない第二の電極４１をグランド電位にすること等により電磁ノイズの影響を抑制していた。
【００７３】
それに対し、タッチパネル２００では第一の電極部１３１Ａと第二の電極部１４１Ａが上面視で重ならない構成であるため、第一の電極部１３１Ａと第二の電極部１４１Ａのいずれかで表示装置１０２が発生する電磁ノイズを抑制することは難しい。そこで第二の電極１４１の下方にシールド電極１５４を配置することで、表示装置１０２が放射する電磁ノイズの影響を抑制する。なお、タッチパネル２００の使用時にシールド電極１５４をグランド電位にすると電磁ノイズの影響の抑制効果が高まる。
【００７４】
図８は入力装置２１０の断面図である。同図において、入力装置２１０は、タッチパネル２００と筐体１０１と表示装置１０２を備える。
【００７５】
角孔１０１Ａからタッチパネル操作領域１６０が露出し、スイッチ電極１５１Ａの位置に角孔１０１Ｂが設けられ、スイッチ電極１５１Ｂの位置に角孔１０１Ｃが設けられる。表示装置１０２は、タッチパネル２００の下面に配置されている。
【００７６】
また、タッチパネル２００の複数の第一の電極１３１、第二の電極１４１、スイッチ電極１５１Ａ、１５１Ｂ、シールド電極１５４や、表示装置１０２がコネクタやリード線（図示せず）等を介して、入力装置２１０の電子回路（図示せず）に接続される。
【００７７】
そして、第一の電極１３１と第二の電極１４１の間の静電容量の変化或いはスイッチ電極１５１Ａ、１５１Ｂの静電容量の変化を電子回路が検出して、指等の対象物のタッチパネル２００への接近或いは接触を判定する。そして対象物の接触位置に応じた入力装置２１０の様々な機能の切換えが行なわれる。
【００７８】
なお、第一の電極１３１と第二の電極１４１は、第一の電極部１３１Ａと第二の電極部１４１Ａは上面視で重ならないので、少なくとも第一のブリッジ部１３１Ｂと第二のブリッジ部１４１Ｂが絶縁されていれば、第一の電極１３１と第二の電極１４１を絶縁しうる。例えば、第一のブリッジ部１３１Ｂと第二のブリッジ部１４１Ｂとの間に絶縁性シート等の絶縁体を挟んで絶縁し、同一基板上に第一の電極１３１と第二の電極１４１を構成するようにしても本発明は実施しうる。
【００７９】
同一基板上に第一の電極２３１と第二の電極２４１を配置した例として、図９の上面図に実施の形態２による他のタッチパネルを示す。
【００８０】
第一の電極２３１は第二の方向Ｄ２に平行に配置された複数の第一の電極部２３１Ａが第一のブリッジ部２３１Ｂを介して櫛状に接続される。
【００８１】
第二の電極２４１は第二の方向Ｄ２に平行に配置された複数の第二の電極部２４１Ａが第二のブリッジ部２４１Ｂを介して櫛状に接続される。
【００８２】
ここで、第一の方向Ｄ１において、第一の電極部２３１Ａと第二の電極部２４１Ａは交互に配置され、第一の電極部２３１Ａと第二の電極部２４１Ａとの間での静電結合が強まるように配置されている。つまり、上面視で第一のブリッジ部２３１Ｂと第二のブリッジ部２４１Ｂが重ならない第一の電極２３１と第二の電極２４１の配置でも本発明は実施可能である。
【００８３】
このように本実施の形態によれば、スイッチ電極１５１Ａ、１５１Ｂとシールド電極１５４が配置される基板１５３を備えたスイッチ基板層１２４を、第一の電極部１３１Ａと第二の電極部１４１Ａの下方に配置する。これにより、タッチパネル２００が下方の表示装置１０２から受ける電磁ノイズの影響をシールド電極で抑制すると共に、シールド電極１５４とスイッチ電極１５１Ａ、１５１Ｂを配置する基板１５３を共用することで低コストにタッチパネル２００を製造することが可能となる。
【産業上の利用可能性】
【００８４】
本発明によるタッチパネルは、メニュー表示の操作に適するという有利な効果を有し、主に各種入力装置用として有用である。
【符号の説明】
【００８５】
２１、１２１  カバー層
２２、１２２  第一の基板層
２３、１２３  第二の基板層
２４、１２４  スイッチ基板層
３１、１３１、２３１  第一の電極
３２、４２、１３２、１４２  配線
３３、４３、５３、１３３、１４３、１５３  基板
４１、１４１、２４１  第二の電極
５１Ａ、５１Ｂ、１５１Ａ、１５１Ｂ  スイッチ電極
５２Ａ、５２Ｂ、１５２Ａ、１５２Ｂ  配線
６０、１６０  タッチパネル操作領域
１００、２００  タッチパネル
１０１  筐体
１０１Ａ、１０１Ｂ、１０１Ｃ  角孔
１０２  表示装置
１１０、２１０  入力装置
１３１Ａ、２３１Ａ  第一の電極部
１３１Ｂ、２３１Ｂ  第一のブリッジ部
１４１Ａ、２４１Ａ  第二の電極部
１４１Ｂ、２４１Ｂ  第二のブリッジ部
１５４  シールド電極
【図１】
2014048674.tif 000003
【図２】
2014048674.tif 000004
【図３】
2014048674.tif 000005
【図４】
2014048674.tif 000006
【図５】
2014048674.tif 000007
【図６】
2014048674.tif 000008
【図７】
2014048674.tif 000009
【図８】
2014048674.tif 000010
【図９】
2014048674.tif 000011
【図１０】
2014048674.tif 000012
【図１１】
2014048674.tif 000013